(57)【要約】【課題】施工された電線長によって灯具の可動部分の可動範囲が規制されない照明器具を提供することを目的とする。【解決手段】照明器具９００は、支持部１３０と、支持部１３０の一端部を取り付けた本体部１４０とを備える。また、照明器具９００は、支持部１３０に沿ってスライド可能に支持部１３０に取り付けられた灯具１５０を備える。灯具１５０は、支持部１３０の一端部から支持部１３０の他端部に向かう方向に光を照射する。また、照明器具９００は、本体部１４０に取り付けられた端子台１８０と、灯具１５０と端子台１８０とを接続する電線１９０とを備える。【選択図】図５
2018200805.tif 000002
【特許請求の範囲】
【請求項１】
支持部と、
前記支持部の一端部を取り付けた本体部と、
前記支持部に沿ってスライド可能に前記支持部に取り付けられた灯具であって、前記支持部の一端部から前記支持部の他端部に向かう方向に光を照射する灯具と、
前記本体部に取り付けられた端子台と、
前記灯具と前記端子台とを接続する電線と
を備えた照明器具。
【請求項２】
前記電線の長さは、前記灯具と前記端子台とが最も離れた場合に必要な長さに予め設定された請求項１に記載の照明器具。
【請求項３】
前記照明器具は、
前記支持部と前記本体部とが取付部に形成された取付穴に挿入される埋め込み型である請求項１または２に記載の照明器具。
【発明の詳細な説明】
【技術分野】
【０００１】
本発明は、ユニバーサルダウンライトのような照明器具に関する。
【背景技術】
【０００２】
ユニバーサルダウンライトは、灯具部分と電源部分が分離されていることが多く、電源部分は天井裏などに取り付けられることが多い。この場合、電源部分と灯具部分は電線で接続されている。この電線は、接続されている灯具部分を可動する際に動くため、電源部分が天井裏に設置された後も、灯具部分が可動可能な長さとなるように考慮されている。
【先行技術文献】
【特許文献】
【０００３】
【特許文献１】特開平１１−３３９５１２号公報
【発明の概要】
【発明が解決しようとする課題】
【０００４】
灯具部分に電源部分を内蔵している場合、工事業者によって灯具部分に電源線が取り付けられる。このとき、必ずしも灯具部分が可動することを前提とした電源線の取り付けになるとは限らない。つまり、電源線の長さが短く、灯具部分の可動範囲が規制されたりすることになる。また、電源線は工事施工後、可動しないことを前提としていることが多いので、灯具部分の可動に合わせて電源線が可動してしまうのは好ましくない。
【０００５】
本発明は、灯具に接続される電線長を予め設定できる構造とし、施工された電線長によって灯具の可動部分の可動範囲が規制されることがない照明器具を提供することを目的とする。
【課題を解決するための手段】
【０００６】
本発明に係る照明器具は、支持部と、前記支持部の一端部を取り付けた本体部と、前記支持部に沿ってスライド可能に前記支持部に取り付けられた灯具であって、前記支持部の一端部から前記支持部の他端部に向かう方向に光を照射する灯具と、前記本体部に取り付けられた端子台と、前記灯具と前記端子台とを接続する電線とを備えた。
【発明の効果】
【０００７】
本発明に係る照明器具によれば、灯具に接続される電線の長さを予め設定できる構造であるため、施工された電線長によって灯具の可動部分の可動範囲が規制されないという効果を奏する。
【図面の簡単な説明】
【０００８】
【図１】実施の形態１に係る照明器具９００の斜視図。
【図２】実施の形態１に係る照明器具９００の分解斜視図。
【図３】実施の形態１において灯具１５０を格納したときの解除状態を表す照明器具９００の側面図。
【図４】実施の形態１において灯具１５０を格納したときの押し付け状態を表す照明器具９００の側面図。
【図５】実施の形態１において灯具１５０を引き出したときの押し付け状態を表す照明器具９００の側面図。
【発明を実施するための形態】
【０００９】
以下、本発明の実施の形態について、図を用いて説明する。なお、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、あるいは部品の配置および向きを限定するものではない。
【００１０】
実施の形態１．
＊＊＊構成の説明＊＊＊
図１は、本実施の形態に係る照明器具９００の斜視図である。
図２は、本実施の形態に係る照明器具９００の分解斜視図である。
図３は、本実施の形態において灯具１５０を格納したときの解除状態を表す照明器具９００の側面図である。
図４は、本実施の形態において灯具１５０を格納したときの押し付け状態を表す照明器具９００の側面図である。
図５は、本実施の形態において灯具１５０を引き出したときの押し付け状態を表す照明器具９００の側面図である。
図１から図５を用いて、本実施の形態に係る照明器具９００について説明する。
【００１１】
照明器具９００は、器具本体２００と、灯具１５０とを備える。
器具本体２００は、円形の開口１１４が形成された枠部１００と、板状の本体部１４０と、複数の支持部１３０とを備える。支持部１３０は上下方向に長形を成す。支持部１３０の一端部である上端部１３５は本体部１４０に取り付けられる。また、支持部１３０の他端部である下端部１３４は枠部１００に取り付けられる。枠部１００は、灯具１５０を通過させる。
【００１２】
灯具１５０は、支持部１３０に沿ってスライド可能に支持部１３０に取り付けられる。灯具１５０は、支持部１３０の一端部から他端部に向かう方向に光を照射する。
灯具１５０は、３本の支持部１３０に囲まれた位置に配置される。
また、器具本体２００は、枠部１００と支持部１３０に挟まれるように取り付けられた弾性を有する弾性部材１６０を備える。さらに、照明器具９００は、枠部１００の開口１１４から回転可能に取り付けられ、支持部１３０の一端側を可動させる切替部１７０を備える。さらに、器具本体２００は、本体部１４０に取り付けられた端子台１８０を備える。
また、照明器具９００は、端子台１８０と灯具１５０とを接続する電線１９０を備える。
【００１３】
照明器具９００は、取付部５００に取り付けられる。照明器具９００は、支持部１３０と本体部１４０とが、取付部５００に形成された取付穴に挿入される埋め込み型である。たとえば、照明器具９００は、埋め込み型のユニバーサルダウンライトである。
【００１４】
＜枠部１００の説明＞
枠部１００は、枠体１１０と取付バネ１２０を備える。枠体１１０は、天井面のような取付面に設けられた取付穴に嵌めこまれる。取付バネ１２０は、枠体１１０に取り付けられ、取付穴の縁部を押圧することにより、枠体１１０が取付穴に嵌めこまれた状態を保持する。
【００１５】
枠体１１０は、天井面に接触する中央が開口したドーナツ状のつば部１１１と、このつば部１１１の開口部分から立設する立設部１１２とを備える。
立設部１１２には、取付バネ１２０をネジ止めするためのネジ穴１１２ａが形成される。
【００１６】
取付バネ１２０は、Ｖ字状に折り曲げられて形成される。取付バネ１２０は、一端にネジが挿入されるネジ穴が形成される。また、取付バネ１２０は、他端が折り曲げられて形成された爪部１２３を有する。なお、取付バネ１２０の一端に形成されたネジ穴に挿入されるネジによって、取付バネ１２０は立設部１１２に取り付けられる。
【００１７】
＜支持部１３０の説明＞
複数の支持部１３０は、灯具１５０の周囲に配置され、灯具１５０を支持する。
支持部１３０は、長形の金属板がＬ字状に折り曲げられて形成される。支持部１３０は、Ｌ字状の長手側に、スリット状の長穴であるスライド穴１３１と、立設部１１２に固定するための固定穴１３２とが形成される。また、支持部１３０は、Ｌ字状の短手側に本体部１４０を取り付けるための本体取付穴１３３が形成される。支持部１３０は、灯具１５０を可動可能に取り付ける可動支持部、スライド支持部、あるいはスライド固定部ともいう。
【００１８】
本体部１４０は、平板状をなし、支持部１３０が取り付けられる３つの支持部取付穴１４１と、端子台１８０が取り付けられる端子台取付穴１４２が形成される。本体部１４０は、天板部ともいう。
支持部１３０は、下端部１３４が枠体１１０の立設部１１２にネジで固定される。このとき、下端部１３４と立設部１１２との間に弾性部材１６０が挟まれる。このように、複数の支持部の各支持部１３０は、枠部１００との間に弾性部材１６０を挟んで枠部に取り付けられる。また、支持部１３０は、上端部１３５が本体部１４０にネジで固定される。
【００１９】
＜灯具１５０の説明＞
灯具１５０は、灯具本体１５１と、この灯具本体１５１に取り付けられた光源部１５２と、この光源部１５２に電力を供給する電源部１５３とを備える。また、灯具１５０は、灯具本体１５１に取り付けられるとともに、支持部１３０にスライド可能に取り付けられる可動支持板１５４を備える。
可動支持板１５４は、灯具本体１５１の上面に取り付けられる。また、可動支持板１５４には、支持部１３０に対応する位置に下方に折れ曲がったスライド片５２を有する。スライド片５２には、座金５４が配置される。ネジ１２１およびワッシャ５３が支持部１３０のスライド穴１３１を介して、座金５４およびスライド片５２にネジ止めされる。これにより、可動支持板１５４が支持部１３０を上下方向にスライド可能となる。
【００２０】
＜弾性部材１６０＞
弾性部材１６０は、その弾性力によって、枠部１００に取り付けられた支持部１３０を、灯具１５０が配置された側とは反対側に押し拡げる機構である。弾性部材１６０は、灯具１５０から離れる方向に支持部１３０を押す。
【００２１】
＜切替部１７０＞
切替部１７０は、立設部１１２の上縁部１１５に接するような環状あるいはリング状を成す。切替部１７０は、その外周部に、支持部１３０の一端側に引っ掛かる引っ掛け部１７１を有する。
切替部１７０は、複数の支持部１３０を灯具１５０に押し付けた押し付け状態（図４および図５参照）と、押し付け状態を解除した解除状態（図３参照）とを切り替える。切替部１７０は、操作部ともいう。支持部１３０は、解除状態において灯具１５０をスライド可能とする。押し付け状態と解除状態とは、切替部１７０の回転動作により切り替わる。
切替部１７０は、複数の支持部１３０と灯具１５０との間に配置され、環状の外周部１７２に複数の支持部の各支持部１３０に引っ掛かる引っ掛け部１７１を複数備える。複数の引っ掛け部の各引っ掛け部１７１が複数の支持部の各支持部１３０に引っ掛けられた状
態が押し付け状態である。また、複数の引っ掛け部の各引っ掛け部１７１による引っ掛けが解除された状態が解除状態である。
【００２２】
図３および図４を用いて、切替部１７０の機能について、さらに説明する。
図３の状態は、引っ掛け部１７１が支持部１３０の一端側に引っ掛かっていない状態である。図３の状態では、弾性部材１６０は、枠部１００に取り付けられた支持部１３０を、灯具１５０が配置された側とは反対側に押し拡げている。
切替部１７０をＰ方向に回転動作させることによって、図４に示すように、引っ掛け部１７１に支持部１３０が引っ掛かる。図４の状態は、引っ掛け部１７１が支持部１３０の一端側に引っ掛かっている状態である。図４の状態では、支持部１３０の一端側は、灯具１５０が配置された側に引っ張られ、弾性部材１６０を押圧する。このとき、支持部１３０は、灯具１５０の側に狭まるので、灯具１５０を挟み込む力、すなわち灯具１５０を押し付ける力が働く。この灯具１５０を挟み込む力、すなわち灯具１５０を押し付ける力によって、灯具１５０が支持部１３０をスライドするのを抑制し、支持部１３０が灯具１５０を保持することができる。このように、弾性部材１６０は、複数の引っ掛け部の各引っ掛け部１７１が複数の支持部の各支持部１３０に引っ掛けられた状態で押しつぶされる。
【００２３】
このように、図４の状態、すなわち引っ掛け部１７１が支持部１３０に引っ掛かっている状態では、灯具１５０の重量が増しても、支持部１３０の保持力により、灯具１５０の自重によって灯具１５０がスライドすることがない。
【００２４】
また、図４の状態において、切替部１７０をＰ方向とは逆のＱ方向に回転動作させてとき、引っ掛け部１７１に引っ掛かっていた支持部１３０が外れる。そして、図３に示すように、弾性部材１６０の弾性力によって支持部１３０が灯具１５０に対して広がる。つまり、支持部１３０が灯具１５０を挟みこむ力がなくなる。そのため、灯具１５０は支持部１３０をスライド可能な状態となる。このように、弾性部材１６０は、複数の引っ掛け部の各引っ掛け部１７１による引っ掛けが解除された状態で灯具１５０から離れる方向に支持部１３０を押す。
【００２５】
切替部１７０は、立設部１１２の上縁部１１５に接するように、回転可能に配置される。枠部１００は、切替部１７０の回転をガイドするガイド部を上縁部１１５に備えてもよい。具体的には、切替部１７０の回転をガイドするガイドレールを上縁部１１５に備えてもよい。また、切替部１７０は、複数の支持部の各支持部１３０の内周部１３６に沿って回転する。そこで、複数の支持部の各支持部１３０は、切替部１７０の回転をガイドするガイド部を内周部１３６に備えてもよい。具体的には、切替部１７０の回転をガイドするガイド溝を複数の支持部の各支持部１３０の内周部１３６に沿って形成してもよい。
切替部１７０を回転させるためには、開口１１４から操作棒を挿入し、操作棒により切替部１７０を回転させるようにしてもよい。あるいは、切替部１７０に開口１１４に露出する操作片を設け、操作片を操作することで、切替部１７０を回転させてもよい。
【００２６】
＊＊＊他の構成＊＊＊
本実施の形態では、照明器具９００は、複数の支持部として３本の支持部１３０を備えている。しかし、支持部１３０の数が３本以外の２本、４本であっても本実施の形態を適用することができる。
【００２７】
＊＊＊本実施の形態の効果の説明＊＊＊
本実施の形態に係る照明器具によれば、切替部１７０を回転操作することによって、支持部１３０を可動させて灯具１５０を挟み込んだ状態、すなわち保持状態としたり、挟み込んでいない状態、すなわち解除状態としたりすることができる。保持状態は支持部１３０を灯具１５０に押し付けた押し付け状態ともいう。よって、本実施の形態に係る照明器
具によれば、保持状態では灯具１５０を所定の位置でロックさせることができ、解除状態では灯具１５０をスムーズにスライド動作させることができる。
【００２８】
実施の形態２．
本実施の形態では、実施の形態１に追加する点について説明する。本実施の形態に係る照明器具９００の構成は、実施の形態１と同様である。本実施の形態では、実施の形態１と同様の構成については同一の符号を付し、その説明を省略する場合がある。
本実施の形態では、端子台１８０と、電源線および内部配線である電線１９０についてさらに説明する。
【００２９】
端子台１８０は、本体部１４０の下面に取り付けられる。すなわち、端子台１８０は、照明器具９００において可動しない器具本体２００に取り付けられる。端子台１８０は、外部から引き込まれた電源線、すなわちＦケーブルを挿入するための電源線挿入孔１８１と、電線１９０が挿入される内部配線挿入孔１８２を有する。
【００３０】
電線１９０は、電源部１５３と端子台１８０とを接続する。電線１９０は、一端が内部配線挿入孔１８２に挿入され、他端が電源部１５３に取り付けられる。この電線１９０は、灯具１５０がスライド可動できるような長さに予め設定されている。電線１９０の長さは、灯具１５０と端子台１８０とが最も離れた場合に必要な長さ以下であることが好ましい。
【００３１】
このように、電線１９０は予め設定されている長さで、かつ、一端が端子台１８０に取り付けられている。よって、施工者が照明器具９００に取り付ける電源線の長さが様々であっても、この電源線は本体部１４０に固定された端子台１８０に装着（挿入）される。このため、電源線の長さが、灯具１５０の可動（スライド）に影響を与えることがない。
【００３２】
なお、電源別置形の照明器具においては、灯具と電源装置とを電線で接続しているが、灯具とは別に別置きする電源装置の置き場所によって、この電線が引っ張られるので、灯具のスライドに影響を及ぼすことがある。この対策として、灯具と電源装置とを接続する電線を天板などに留めて灯具の可動に影響がないように尤度を持たせる方法がある。しかし、電源装置を引っ張ったりすると、その電線も引っ張られて尤度がなくなってしまうことがある。また、灯具と電源装置とを接続する電線がある場合、梱包する際にもその電線の長さが影響し、梱包し難くなることが想定される。
【００３３】
しかしながら、本実施の形態のように、本体部１４０に固定された端子台１８０と灯具１５０との間を、電線１９０で接続するようにすることによって、以下のような効果がある。
仮に電源装置を灯具とは別置きとした場合であっても、電源装置から引き出された電線を端子台１８０に接続するようにして、灯具１５０と電源装置を電気的に接続できる。よって、電源装置と端子台１８０とを接続する電線長を任意に設定することができる。また、電源装置に接続されている電線を端子台１８０から外すことができる。したがって、灯具１５０と電源装置を梱包する際に、電線長による影響を受け難くすることができ、梱包がし易くなる。
【００３４】
本実施の形態では、照明器具９００は、複数の支持部として３本の支持部１３０を備えている。しかし、支持部１３０の数が３本以外の２本、４本であっても本実施の形態を適用することができる。また、支持部１３０の数が１本であっても本実施の形態を適用することができる。
【００３５】
実施の形態１および２のうち、複数の部分を組み合わせて実施しても構わない。あるい
は、これらの実施の形態のうち、１つの部分を実施しても構わない。その他、これらの実施の形態を、全体としてあるいは部分的に、どのように組み合わせて実施しても構わない。
なお、上述した実施の形態は、本質的に好ましい例示であって、本発明の範囲、本発明の適用物の範囲、および本発明の用途の範囲を制限することを意図するものではない。上述した実施の形態は、必要に応じて種々の変更が可能である。
【符号の説明】
【００３６】
９００  照明器具、１００  枠部、１１０  枠体、１１１  つば部、１１２  立設部、１１２ａ  ネジ穴、１１４  開口、１１５  上縁部、１２０  取付バネ、１２１  ネジ、１２３  爪部、１３０  支持部、１３１  スライド穴、１３２  固定穴、１３３  本体取付穴、１３４  下端部、１３５  上端部、１３６  内周部、１４０  本体部、１４１  取付穴、１４２  端子台取付穴、１５０  灯具、１５１  灯具本体、１５２  光源部、１５３  電源部、１５４  可動支持板、５２  スライド片、５３  ワッシャ、５４  座金、１６０  弾性部材、１７０  切替部、１７１  引っ掛け部、１７２  環状の外周部、１８０
端子台、１８１  電源線挿入孔、１８２  内部配線挿入孔、１９０  電線、２００  器具本体、５００  取付部。
【図１】
2018200805.tif 000003
【図２】
2018200805.tif 000004
【図３】
2018200805.tif 000005
【図４】
2018200805.tif 000006
【図５】
2018200805.tif 000007